(57)【要約】【課題】コンクリート埋設後における配線作業において、配線用途の識別、各工事業者の所有対象電線管の識別等を行えて、電気配線工事を誤りなく確実に行える電線管連結装置、電線管用継手、及び継手用連結体の提供である。【解決手段】外面の少なくとも一部に異なる色彩が施されることで識別可能とする色彩識別ラインＬ１　〜Ｌ５　が長手方向に形成された複数種類の電線管Ｐ１　〜Ｐ５　と、内部にケーブルＣ１　〜Ｃ５　の一部を収容する配線ボックスＢに前記電線管Ｐ１　〜Ｐ５　を連結するための継手Ｓ０　とから成り、しかも前記継手Ｓ０　は、一端側に前記電線管Ｐ１　〜Ｐ５　が連結される継手本体１１と、該継手本体１１の他端側を前記配線ボックスＢに連結させるべく該配線ボックスＢの内部に配設されて、外面の少なくとも一部に前記各電線管Ｐ１　〜Ｐ５　の色彩識別ラインＬ１　〜Ｌ５　と同一色が施されて、前記配線ボックスの開口３からの識別を可能とする色彩識別部が形成された複数種類のロックナットＮ１　〜Ｎ５　とから成る。【選択図】　　　　図３
2004129368.tif 000002
【特許請求の範囲】
【請求項１】
外面の少なくとも一部に異なる色彩が施されることで識別可能とする色彩識別部が長手方向に設けられた複数種類の電線管と、内部にケーブルの一部を収容する配線ボックス等の配線体に前記電線管を連結するための継手と、から成り、
前記継手は、一端側に前記電線管が連結される継手本体と、該継手本体の他端側を前記配線体に連結させるべく該配線体の内部に配設されて、外面の少なくとも一部に前記各電線管の色彩識別部と同一色が施されて、前記配線体の開口からの識別を可能とする色彩識別部が設けられた複数種類の継手用連結体と、から成ることを特徴とする電線管連結装置。
【請求項２】
前記継手本体は、全体に同一色が施されて、複数種類の電線管及び連結体に対して共用可能であることを特徴とする請求項１に記載の電線管連結装置。
【請求項３】
前記継手本体の全体に施される色彩は、複数種類の電線管及び継手用連結体に施される各色彩識別部と異なることを特徴とする請求項２に記載の電線管連結装置。
【請求項４】
外面の少なくとも一部に異なる色彩が施されることで識別可能とする色彩識別部が長手方向に設けられた複数種類の電線管と、内部にケーブルの一部を収容する配線ボックス等の配線体に前記電線管を連結するための継手と、から成り、
前記継手は、配線体に対して脱着可能な一体構造であって、前記配線体の内部に配置される部分の少なくとも一部に前記各電線管の色彩識別部と同一色が施されて、前記配線体の開口からの識別を可能とする色彩識別部が設けられた複数種類で構成されることを特徴とする電線管連結装置。
【請求項５】
内部にケーブルの一部を収容する配線ボックス等の配線体に電線管を連結するための継手であって、
一端側に前記電線管が連結される継手本体と、該継手本体の他端側を前記配線体に連結させるべく該配線体の内部に配設されて、外面の少なくとも一部に異なる色彩が施されて、前記配線体の開口からの識別を可能とする色彩識別部が設けられた複数種類の継手用連結体と、から成ることを特徴とする電線管用継手。
【請求項６】
前記継手本体は、全体に同一色が施されて、複数種類の連結体に対して共用可能であることを特徴とする請求項５に記載の電線管用継手。
【請求項７】
一端側に電線管が連結される継手本体の他端側を、内部にケーブルの一部を収容する配線ボックス等の配線体に連結するための継手用連結体であって、
外面の少なくとも一部に異なる色彩が施されて、前記配線体の開口からの識別を可能とする色彩識別部が設けられた複数種類で構成されることを特徴とする継手用連結体。
【請求項８】
前記連結体は、配線体内に挿通された継手本体の雄ねじ部に螺合する雌ねじ部を備えたナット体で構成されることを特徴とする請求項７に記載の継手用連結体。
【請求項９】
配線ボックス等の配線体に対して電線管を連結するための継手における前記配線体の内部に配置される側の端部、又は該継手を構成する継手本体を前記配線体に固定するために該配線体の内部に配置されるナット体に嵌着されるキャップ体であって、
複数種類の前記電線管を識別可能にすべく、その外面の長手方向に沿って異なる色彩を施して形成された各色彩識別部と同一色が外面に施された複数種類で構成されることを特徴とするキャップ体。
【請求項１０】
前記継手における配線体の内部の側の開口を閉塞可能な構造になっていることを特徴とする請求項９に記載のキャップ体。
【発明の詳細な説明】
【０００１】
【発明の属する技術分野】
本発明は、内部にケーブルの一部を収容する配線ボックス等の配線体に電線管を連結するための電線管連結装置、電線管用継手、継手用連結体、及びキャップ体に関するものである。
【０００２】
【従来の技術】
従来、電気配線工事に使用される電線管において、その外面の一部に、管素材の地色と異なる色彩の着色層が長手方向に形成されたものが知られている（特許文献１）。この着色層は、電線管内に配線すべきケーブルとして、例えば、電話用、照明用、コンピュータ用等の異なる用途のものが複数本存在する場合に、配線の各用途を識別して、複雑な配線工事を誤りなく確実に行うために設けられる。
【０００３】
【特許文献１】
実開昭６０−８４８４４号公報
【０００４】
また、上記した着色層は、上記配線用途の識別以外に、複数種類存在する電線管が、複数の工事業者のいずれのものであるかの識別にも使用される。例えば、一つのビル建築現場において、複数の電気工事業者が配線工事を分担して行うことが多く、この場合に、各工事業者の打ち合わせ、或いは元受工事業者の指示等により、各工事業者毎に異なる着色層の電線管を使用することで、各工事業者は、自己の電線管を他人の電線管と識別できて、作業区分等の確認ができる。
【０００５】
しかし、例えば、コンクリート建物の建築現場において、前記電線管は、継手を介して配線ボックスに接続されるために、コンクリート打設後には、電線管はコンクリート内に埋設されるために、その着色層の確認を行えない。そして、工事業者の電気配線工事は、前記コンクリート埋設後に行われるために、肝心の配線作業時には、電線管に施された着色層の確認ができず、ケーブルの配線用途の識別や、各工事業者の所有対象電線管の識別等が十分に行えなかった。
【０００６】
【発明が解決しようとする課題】
本発明の課題は、コンクリート埋設後における配線作業において、配線用途の識別、各工事業者の所有対象電線管の識別等を行えて、電気配線工事を誤りなく確実に行える電線管連結装置、電線管用継手、継手用連結体、及びキャップ体の提供である。
【０００７】
【課題を解決するための手段】
上記の課題を解決するための請求項１の発明は、外面の少なくとも一部に異なる色彩が施されることで識別可能とする色彩識別部が長手方向に形成された複数種類の電線管と、内部にケーブルの一部を収容する配線ボックス等の配線体に前記電線管を連結するための継手とから成り、しかも前記継手は、一端側に前記電線管が連結される継手本体と、該継手本体の他端側を前記配線体に連結させるべく該配線体の内部に配設されて、外面の少なくとも一部に前記各電線管の色彩識別部と同一色が施されて、前記配線体の開口からの識別を可能とする色彩識別部が形成された複数種類の継手用連結体とから成ることを特徴としている。
【０００８】
請求項１の発明によれば、複数種類の各電線管と、各電線管を配線ボックス等の配線体に連結する継手を構成していて、複数種類の継手用連結体とは、互いに対応し合うものに対して同一色彩が施されて、それぞれ色彩識別部が形成されている。このため、施工時に、電線管を配線ボックス等の配線体に連結する際には、複数種類の継手用連結体のうち、前記電線管に形成された色彩識別部と同一色の色彩識別部を有する継手用連結体を選択して、該継手用連結体を有する継手を使用して、前記電線管を配線体に連結する。これにより、電線管及び配線体がコンクリート埋設されて、前記電線管に形成された色彩識別部が確認できなくなっても、該電線管の外面に施された色彩識別部の色彩は、配線体の開口から確認できる継手用連結体の外面の色彩識別部の色彩により確認可能となる。よって、ケーブルの配線用途の誤りを確実に防止して、正しい配線を迅速に行える。また、同一工事現場の電気工事を複数の業者で行う場合には、電線管の施工前においては、その外面に形成された色彩識別部によって、複数の工事業者のうちどの業者の電線管であるかの確認も併せて行える。
【０００９】
また、請求項２の発明は、請求項１の発明において、前記継手本体は、全体に同一色が施されていることを特徴としている。
【００１０】
請求項２の発明によれば、請求項１の発明の上記作用効果に加えて、継手を構成する継手本体の全体に同一色を施すことにより、複数種類の電線管及び継手用連結体に対して共用可能となって、工事現場において、継手本体の選択判断が必要なくなって、工事が迅速化されると共に、継手本体の管理等も容易となる。
【００１１】
また、請求項３の発明は、請求項２の発明において、前記継手本体の全体に施される色彩は、複数種類の電線管及び連結体に施される各色彩識別部と異なることを特徴としている。
【００１２】
請求項３の発明によれば、請求項２の発明の上記作用効果に加えて、継手本体の色彩と、複数種類の電線管及び連結体に施された色彩識別部とが混同しなくなるので、複数種類の電線管及び継手用連結体のうち、対応するものどうしの選択を誤りなく行える。
【００１３】
また、請求項４の発明は、外面の少なくとも一部に異なる色彩が施されることで識別可能とする色彩識別部が長手方向に設けられた複数種類の電線管と、内部にケーブルの一部を収容する配線ボックス等の配線体に前記電線管を連結するための継手とから成り、前記継手は、配線体に対して脱着可能な単体構造であって、前記配線体の内部に配置される部分の少なくとも一部に前記各電線管の色彩識別部と同一色が施されて、前記配線体の開口からの識別を可能とする色彩識別部が設けられた複数種類で構成されることを特徴としている。
【００１４】
請求項４の発明によれば、単体構造の継手に対して、請求項１の発明と同等の作用効果が奏される。
【００１５】
また、請求項５の発明は、内部にケーブルの一部を収容する配線ボックス等の配線体に電線管を連結するための継手であって、一端側に前記電線管が連結される継手本体と、該継手本体の他端側を前記配線体に連結させるべく該配線体の内部に配設されて、外面の少なくとも一部に異なる色彩が施されて、前記配線体の開口からの識別を可能とする色彩識別部が設けられた複数の継手用連結体とから成ることを特徴としている。
【００１６】
請求項５の発明によれば、電線管がコンクリート埋設された後においても、配線体の開口を通して継手用連結体の外面に形成された色彩識別部を確認でき、継手用連結体の色彩識別部の色彩と配線用途等を対応させておくことにより、配線用途等を誤ることなく、配線可能となる。
【００１７】
また、請求項６の発明は、請求項５の発明において、前記継手本体は、全体に同一色が施されていることを特徴としている。
【００１８】
請求項６の発明によれば、請求項５の発明の上記作用効果に加えて、継手を構成する継手本体の全体に同一色を施すことにより、複数種類の継手用連結体に対して共用可能となって、工事現場において、継手本体の選択判断が必要なくなって、工事が迅速化されると共に、継手本体の管理等も容易となる。
【００１９】
また、請求項７の発明は、一端側に電線管が連結される継手本体の他端側を、内部にケーブルの一部を収容する配線ボックス等の配線体に連結するための継手用連結体であって、外面の少なくとも一部に異なる色彩が施されて、前記配線体の開口からの識別を可能とする色彩識別部が設けられた複数種類で構成されることを特徴としている。
【００２０】
請求項７の発明は、請求項５の発明を「継手用連結体」の観点から把握したものであって、請求項４の発明と実質的に同一であり、請求項４の発明の上記作用効果ガ奏される。
【００２１】
また、請求項８の発明は、請求項７の発明において、前記継手用連結体は、配線体内に挿通された継手本体の雄ねじ部に螺合する雌ねじ部を備えたナット体で構成されることを特徴としている。
【００２２】
請求項８の発明によれば、電線管と配線体とを接続する継手を構成する継手用連結体が、使用頻度の最も高いナット体で構成されているため、色彩識別の効果が最大に奏される。
【００２３】
また、請求項９の発明は、配線ボックス等の配線体に対して電線管を連結するための継手における前記配線体の内部に配置される側の端部、又は該継手を構成する継手本体を前記配線体に固定するために該配線体の内部に配置されるナット体に嵌着されるキャップ体であって、複数種類の前記電線管を識別可能にすべく、その外面の長手方向に沿って異なる色彩を施して形成された各色彩識別部と同一色が外面に施された複数種類で構成されることを特徴としている。
【００２４】
請求項９の発明によれば、複数種類のキャップ体の外面には、複数種類の電線管を識別可能にするために、その外面に異なる色彩を長手方向に施して形成された各色彩識別部と同一色が施されている。このため、継手における配線体の内部に配置される側の端部、又は継手本体を配線体に固定するために、該配線体の内部に配置されるナット体に、キャップ体が嵌着された状態において、このキャップ体は、配線体の開口に露出しているため、このキャップ体の外面に施された色彩は、配線体の開口から確認可能である。よって、継手を介して配線体に接続された電線管がコンクリート埋設された後においても、配線体の開口に露出しているキャップ体の色彩によって、コンクリート埋設されて確認不能となった電線管の種類の確認が可能となる。
【００２５】
また、請求項１０の発明は、請求項９の発明において、キャップ体は、継手における配線体の内部の側の開口を閉塞可能な構造になっていることを特徴としている。
【００２６】
請求項１０の発明によれば、継手における配線体の内部の側の端部、又は継手本体を配線体に固定するために、配線体の内部に配置されたナット体に対してキャップ体を嵌着した状態で、継手における配線体の内部の側の開口は、前記キャップ体により閉塞される。よって、コンクリート打設時において、配線体の内部から継手の開口を通って電線管の内部にコンクリートトロ等が浸入するのを防止できる。
【００２７】
【発明の実施の形態】
以下、実施形態を挙げて、本発明について更に詳細に説明する。図１は、本発明の電線管連結装置を構成する複数種類の電線管Ｐ１　〜Ｐ５（Ｐ１１〜Ｐ１５）と、これと同一数の複数種類のロックナットＮ１　〜Ｎ５（Ｎ１１〜Ｎ１５）と、一種類の継手本体Ｓ０（Ｓ１０）との組合せ状態を示す図であり、図２は、配線ボックスＢに電線管Ｐ１，Ｐ１２が連結された状態を示す斜視図である。本発明に係る電線管連結装置は、図１に示されるように、サイズが同一で、色彩識別部の色彩のみが異なる複数種類（実施形態では５種類）の電線管Ｐ１　〜Ｐ５　と、同じくサイズが同一で、色彩識別部の色彩のみが異なる前記電線管Ｐ１　〜Ｐ５　と同一数の複数種類のロックナットＮ１　〜Ｎ５　と、各ロックナットＮ１　〜Ｎ５　が螺合可能な雄ねじ部１２〔図１（イ）参照〕を有する一種類の継手本体Ｓ０　とで構成される。この継手本体Ｓ０　は、複数種類の電線管Ｐ１　〜Ｐ５　及びロックナットＮ１　〜Ｎ５　に対して共用される。
【００２８】
ここで、複数種類の各電線管Ｐ１　〜Ｐ５　は、いずれもサイズが同一の可撓性を有する波付構造のものであって、その外面に地色とは異なる色彩に係る広幅の色彩識別ラインＬ１　〜Ｌ５　が長手方向に連続して施されることにより、相互に識別可能となっている。各色彩識別ラインＬ１　〜Ｌ５　は、例えば、電線管の用途に応じて施されており、その色彩は、地色と異なる識別し易いものが選択される。電線管を用途別に色彩識別する場合には、その用途と色彩識別ラインＬ１　〜Ｌ５　の色彩との組み合せとしては、例えば、（電線管Ｐ１　：電話用，赤），（電線管Ｐ２　：テレビ用，白），（電線管Ｐ３　：スイッチ用，黄），（電線管Ｐ４　：光ケーブル用，青），（電線管Ｐ５　：エアコン用，緑）の組み合せが挙げられる。また、複数種類の各電線管Ｐ１１〜Ｐ１５は、前記各電線管Ｐ１　〜Ｐ５　よりもサイズのみが大きなものであって、その用途と、外面に施された色彩識別ラインＬ１　〜Ｌ５　は、前記各電線管Ｐ１　〜Ｐ５　と同一である。なお、継手本体１１は、その全体に同一色〔色彩識別ラインＬ１　〜Ｌ５　を構成する各色彩とは異なる色彩が望ましい〕が施されて、全種類のロックナットＮ１　〜Ｎ５　に対して共用可能になっている。
【００２９】
また、色彩識別ラインＬ１　〜Ｌ５　の色彩のみ異なる複数種類の各電線管Ｐ１　〜Ｐ５　は、継手Ｓ０　を介して配線ボックスＢに連結（接続）される。この継手Ｓ０　は、全体に同一色が施された一種類の継手本体１１と、前記電線管Ｐ１　〜Ｐ５　の種類と同一数の複数種類から成って、該継手本体１１の一端部の雄ねじ部１２に螺合されるロックナットＮ１　〜Ｎ５　とで構成される。図２に示されるように、継手本体１１の雄ねじ部１２は、配線ボックスＢに設けられた取付孔１の外側から内側に向けて挿入されて、前記配線ボックスＢの内側に配設された各ロックナットＮ１（Ｎ２　〜Ｎ５）に螺合されることにより、継手本体１１は、その段差面１３〔図１（イ）参照〕と各ロックナットＮ１（Ｎ２　〜Ｎ５）とで、配線ボックスＢの周壁部２を挟持した状態となって、該配線ボックスＢに固定される。
【００３０】
ここで、複数種類の各ロックナットＮ１　〜Ｎ５　の外面の全面には、対応する（対となって使用される）各電線管Ｐ１　〜Ｐ５　の外面に長手方向に施された各色彩識別ラインＬ１　〜Ｌ５　の色彩と同一色彩が施されている。このため、各電線管Ｐ１　〜Ｐ５　の外面の色彩識別ラインＬ１　〜Ｌ５　の色彩と、各ロックナットＮ１　〜Ｎ５　の外面の全面に施された色彩とが合致したものどうしが、使用の組み合せとなる。なお、継手Ｓ１０、継手本体１１’及びロックナットＮ１１〜Ｎ１５は、いずれも電線管Ｐ１１〜Ｐ１５に対応して使用されるものであって、前記継手Ｓ０　及びロックナットＮ１　〜Ｎ５　よりもサイズの大きなものである。
【００３１】
このため、例えば、図２に示されるように、一つの配線ボックスＢに電話用及びテレビ用の各ケーブルＣ１，Ｃ１２（図４参照）の一部を収容させて配線する場合には、配線ボックスＢに、それぞれサイズの異なる電線管Ｐ１，Ｐ１２を継手Ｓ０，Ｓ１０を介して接続する。この場合において、継手Ｓ０　を構成するロックナットＮ１　は、電話用の電線管Ｐ１　の外面に施された色彩識別ラインＬ１　の色彩である「赤」と同一の色彩が全面に施されたものを選択使用する。全く同様にして、継手Ｓ１０を構成するロックナットＮ１２は、テレビ用の電線管Ｐ１２の外面に施された色彩識別ラインＬ２　の色彩である「白」と同一の色彩が全面に施されたものを選択使用する。
【００３２】
また、図３（イ），（ロ）　は、それぞれ配線ボックスＢをコンクリートＫ内に埋設させる前後を示す断面図であり、図４は、各電線管Ｐ１，Ｐ１２に挿通配線された電話用及びテレビ用の各ケーブルＣ１，Ｃ１２の一端部が配線ボックスＢに収容された状態の正面図である。図３（イ）に示されるように、配線ボックスＢの開口３をコンクリート型枠Ｆの内側面に密着させた状態で、コンクリートＫを打設すると、同図（ロ）に示されるように、各電線管Ｐ１，Ｐ１２がコンクリートＫ内に埋設されると共に、配線ボックスＢは、その開口３がコンクリート面２１と同一となって、その全体がコンクリートＫ内に埋設される。
【００３３】
このため、各電線管Ｐ１，Ｐ１２がコンクリートＫ内に埋設されて、その外面の長手方向に施された色彩識別ラインＬ１，Ｌ２　が確認できなくなっても、各電線管Ｐ１，Ｐ１２を配線ボックスＢに接続している各継手Ｓ０，Ｓ１０を構成するロックナットＮ１，Ｎ１２に施された色彩は、配線ボックスＢの開口３の側から確認できる。このため、各ロックナットＮ１，Ｎ１２の全面に施された色彩（赤，白）を確認することにより、各ロックナットＮ１，Ｎ１２を介して配線ボックスＢに接続されている各電線管Ｐ１，Ｐ１２の用途の確認を間接的に行える。よって、赤色が施されたロックナットＮ１　に対応する電線管Ｐ１　には、電話用のケーブルＣ１　を挿通配線すると共に、白色のロックナットＮ１２に対応する電線管Ｐ１２には、テレビ用のケーブルＣ１２を挿通配線することができる。このように、電線管Ｐ１，Ｐ１２がコンクリートＫ内に埋設されて、その外面に施された色彩識別ラインＬ１，Ｌ２　が確認不能となっても、配線ボックスＢの開口に露出している各ロックナットＮ１，Ｎ１２に施された色彩を確認することにより、この各ロックナットＮ１，Ｎ１２に対応する各電線管Ｐ１，Ｐ１２の種類を間接的に確実に確認できるので、各ケーブルＣ１，Ｃ１２を誤りなく電気配線できる。
【００３４】
上記実施形態は、赤と白の色彩識別ラインＬ１，Ｌ２　が施されて、サイズの異なる電話用及びテレビ用の各電線管Ｐ１，Ｐ１２を配線ボックスＢに接続する場合であるが、他の用途の各電線管Ｐ３　〜Ｐ５　（Ｐ１３〜Ｐ１５）の場合も全く同様にして、コンクリート埋設された後においても、配線ボックスＢの開口に露出している各ロックナットＮ３　〜Ｎ５　（Ｎ１３〜Ｎ１５）に施された色彩の確認により、コンクリートＫ内に埋設されている各ロックナットＮ３　〜Ｎ５　（Ｎ１３〜Ｎ１５）に対応する電線管Ｐ３　〜Ｐ５　（Ｐ１３〜Ｐ１５）の用途（種類）の確認を行える。
【００３５】
また、上記実施形態の継手Ｓ０，Ｓ１０は、継手本体１１の側に雄ねじ部１２が形成されて、ロックナットＮ１　〜Ｎ５（Ｎ１１〜Ｎ１５）の内周面に雌ねじが形成されたものであるが、図５に示されるように、雌ねじ部１４を有する継手本体１１’と、ロックボルトＶ１　〜Ｖ５（Ｖ１１〜Ｖ１５）とから成る継手Ｓ０’を使用することも可能である。ロックボルトＶ１　〜Ｖ５（Ｖ１１〜Ｖ１５）は、その外周面に雄ネジ部１５が形成されている。このロックボルトＶ１　〜Ｖ５（Ｖ１１〜Ｖ１５）においても、その外面の全体には、これに対応する電線管Ｐ１　〜Ｐ５（Ｐ１１〜Ｐ１５）の外面の長手方向に施された色彩識別ラインＬ１　〜Ｌ５　と同一の色彩が施されている。このロックボルトＶ１　は、配線ボックスＢの取付孔１に、その内側から外側に向けて挿通されて、継手本体１１’の雌ネジ部１４に螺合されて、継手本体１１’は、その鍔部１６とロックボルトＶ１　の鍔部１７とで、配線ボックスＢの周壁部２を挟んで固定される。このロックボルトＶ１　〜Ｖ５（Ｖ１１〜Ｖ１５）は、配線ボックスＢに電線管Ｐ１　〜Ｐ５　を接続した状態で、その内部には、ロックボルトＶ１　〜Ｖ５（Ｖ１１〜Ｖ１５）の鍔部１７のみが配置される構成であるので、ボックス内の配線スペースが狭められない利点がある。
【００３６】
また、本発明においては、電線管が接続されて、ケーブルの一部が収容される配線体としては、上記配線ボックスに限られない。例えば、図６に示されるように、二重天井を構成するコンクリート天井壁Ｗの下面に開口した状態で、コンクリート内に埋設されて、前記コンクリート天井壁Ｗ内にケーブルを配線するのに使用されるエンドキャップＥに対しても実施可能である。また、図６に示されるように、継手Ｓ０　”は、エンドキャップＥの傾斜板部２５に一体に設けられた継手本体１１”と、該継手本体１１”のエンドキャップＥの内部側の端部に連結されて、該エンドキャップＥ内に端部が挿入される電線管（図示せず）を前記継手本体１１”に連結するための第１スリーブＤ１　〜Ｄ５　と、該継手本体１１”におけるエンドキャップＥの外側の端部に連結されて、コンクリート埋設される電線管Ｐ１　〜Ｐ５　を前記継手本体１１”に連結するための第２スリーブＤ１１〜Ｄ１５とで構成される。第１スリーブＤ１　〜Ｄ５　は、これに対応する同一数の複数種類の電線管Ｐ１　〜Ｐ５　の外面に長手方向に施された広幅の色彩識別ラインＬ１　〜Ｌ５　の各色彩と同一色が外面の全面に施されている。これにより、コンクリート天井壁Ｗ内に電線管Ｐ１　〜Ｐ５　が埋設された後においても、エンドキャップＥの開口に全体が露出した第１スリーブＤ１　〜Ｄ５　に施されている色彩の確認により、コンクリート天井壁Ｗ内に埋設されて、確認不能な電線管Ｐ１　〜Ｐ５　の種類（用途）の確認が可能となる。
【００３７】
また、上記各実施形態では、いずれも継手を構成するロックナットＮ１　〜Ｎ５　（Ｎ１１〜Ｎ１５）又はロックボルトＶ１　〜Ｖ５（Ｖ１１〜Ｖ１５）或いはスリーブＤ１　〜Ｄ５　（Ｄ１１〜Ｄ１５）には、その外面の全体に、対応する電線管Ｐ１　〜Ｐ５　に施した色彩識別ラインＬ１　〜Ｌ５　と同一色を施して、その種類の確認を容易にしてあるが、その一部にのみ識別色彩を施すことも可能である。
【００３８】
また、上記したように、各電線管Ｐ１　〜Ｐ５（Ｐ１１〜Ｐ１５）には、その外面の長手方向に用途別の色彩識別ラインＬ１　〜Ｌ５　が施されているために、例えば、一つのビル建築現場において、複数の電気工事業者が配線工事を分担して行う場合に、上記色彩識別ラインＬ１　〜Ｌ５　の色彩によって、各工事業者毎に、その色彩を定めておけば、各工事業者は、自己の電線管を他人の電線管と識別できて、作業区分等の確認もできる。
【００３９】
更に、上記実施形態では、電線管の外面に長手方向に施す色彩識別ラインは、その用途別に定めてあるが、一つの建築物において、その施工部分毎（例えば、応接室、洗面所、台所毎）に、電線管に施す色彩識別ラインを変更して、電気工事において、電線管の選択の誤りをなくすことも可能である。
【００４０】
また、上記実施形態の継手は、継手本体とロックナット（又はロックボルト）との２つの部材から構成されるが、図７に示されるように、全体が一体の単体構造の継手Ｓ２０に対しても実施可能である。この継手Ｓ２０は、継手本体３１の一端部に、弾性変形可能な一対の爪体３２が一体に設けられた構成であって、ボックスＢの外側から、その取付孔１に対して前記一対の爪体３２が弾性変形して係合される構成であって、係合状態において、一対の爪体３２の先端部（爪部）は、ボックスＢ内に露出する。このため、継手Ｓ２０の全体又はその一対の爪体３２の部分に、該継手Ｓ２０に連結される電線管Ｐ１　〜Ｐ５　に施された色彩識別ラインＬ１　〜Ｌ５　と同一色を施しておくこと、電線管Ｐ１　〜Ｐ５　が埋設された後においても、ボックスＢ内に露出している継手Ｓ２０の爪体３２に施された色彩によって、コンクリート埋設されて、該継手Ｓ２０に連結されている電線管Ｐ１　〜Ｐ５　の特定が可能となる。
【００４１】
また、ボックスＢに電線管Ｐ１　〜Ｐ５　を接続するために、該ボックスＢに固定された継手Ｓ０　には、コンクリート打設時において、ボックスＢの内側から「コンクリートトロ」が浸入する恐れがあり、これを防止するために、図８及び図９に示されるように、継手本体１１におけるボックスＢの内側の開口に、トロ浸入防止用のキャップ体Ｇ１（Ｇ２）が嵌着されて、覆蓋されることがある。図８に示されるキャップ体Ｇ１　は、継手本体１１の開口のみを閉塞する構造であり、図９に示されるキャップ体Ｇ１　は、継手本体１１の開口とロックナットＮ０　の外側とを同時に閉塞する構造である。いずれの場合でも、キャップ体Ｇ１（Ｇ２）は、その全体がボックスＢの内部に露出するので、このキャップ体Ｇ１（Ｇ２）の全体に、電線管Ｐ１　〜Ｐ５　の色彩識別ラインＬ１　〜Ｌ５　と同一色を施すことにより、電線管Ｐ１　〜Ｐ５　がコンクリート埋設された後においても、ボックスＢ内に露出しているキャップ体Ｇ１（Ｇ２）の色彩によって、電線管Ｐ１　〜Ｐ５　の種類を判別できる。なお、図１０に示されるキャップ体Ｇ２’のように、色彩識別のみを目的として、トロ浸入防止機能を有しないキャップ体に対する適用も可能である。このようなキャップ体Ｇ１，Ｇ２，Ｇ２　’　の使用により、ナットＮ０　に識別色彩を施す必要がなくなって、ナットＮ０　が共用化できる。
【００４２】
【発明の効果】
本発明によれば、電線管を配線ボックス等の配線体に連結する際には、複数種類の継手用連結体のうち、前記電線管に形成された色彩識別部と同一色の色彩識別部を有する継手用連結体を選択して、該継手用連結体を有する継手を使用して、前記電線管を配線体に連結することにより、電線管及び配線体がコンクリート埋設されて、前記電線管に形成された色彩識別部が確認できなくなっても、該電線管の外面に施された色彩識別部の色彩は、配線体の開口から確認できる継手用連結体の外面の色彩識別部の色彩により確認可能となる。よって、ケーブルの配線用途の誤りを確実に防止して、正しい配線を迅速に行える。
【図面の簡単な説明】
【図１】（イ）〜（ホ）は、それぞれ本発明の電線管連結装置を構成する複数種類の電線管Ｐ１　〜Ｐ５（Ｐ１１〜Ｐ１５）と、これと同一数の複数種類のロックナットＮ１　〜Ｎ５（Ｎ１１〜Ｎ１５）と、一種類の継手本体Ｓ０（Ｓ１０）との組合せ状態を示す図である。
【図２】配線ボックスＢに電線管Ｐ１，Ｐ１２が連結された状態を示す斜視図である。
【図３】（イ），（ロ）　は、それぞれ配線ボックスＢをコンクリートＫ内に埋設させる前後を示す断面図である。
【図４】各電線管Ｐ１，Ｐ１２に挿通配線された電話用及びテレビ用の各ケーブルＣ１，Ｃ１２の一端部が配線ボックスＢに収容された状態の正面図である。
【図５】ロックボルトＶ１　〜Ｖ５（Ｖ１１〜Ｖ１５）を備えた継手Ｓ０’を使用して配線ボックスＢに電線管Ｐ１　〜Ｐ５　を接続する施工例を示す正面図である。
【図６】エンドキャップＥに接続される電線管Ｐ１　〜Ｐ５　及びロックナットＮ２１〜Ｎ２５に本発明を実施した例の断面図である。
【図７】ボックスＢに単体構造の継手Ｓ２０を介して電線管Ｐ１　〜Ｐ５　が接続された状態の断面図である。
【図８】ボックスＢに電線管Ｐ１　〜Ｐ５　を接続している継手Ｓ０　を構成する継手本体１１のボックスＢ内の開口がキャップ体Ｇ１　で閉塞された状態の断面図である。
【図９】ボックスＢに電線管Ｐ１　〜Ｐ５　を接続している継手Ｓ０　を構成する継手本体１１のボックスＢ内の開口及びロックナットＮ１　〜Ｎ５　がキャップ体Ｇ２　で閉塞された状態の断面図である。
【図１０】ボックスＢに電線管Ｐ１　〜Ｐ５　を接続している継手Ｓ０　を構成する継手本体１１のボックスＢ内の端部に、色彩識別のみを目的としたキャップ体Ｇ２’が取付けられた状態の断面図である。
【符号の説明】
Ｂ：配線ボックス（配線体）
Ｃ１　〜Ｃ５　，Ｃ１１〜Ｃ１５：ケーブル
Ｄ１　〜Ｄ５　，Ｄ１１〜Ｄ１５：スリーブ（継手用連結体）
Ｅ：エンドキャップ（配線体）
Ｇ１，Ｇ２，Ｇ２’：キャップ体
Ｌ１　〜Ｌ５　：色彩識別ライン（色彩識別部）
Ｎ１　〜Ｎ５　，Ｎ１１〜Ｎ１５：ロックナット（継手用連結体）
Ｐ１　〜Ｐ５　，Ｐ１１〜Ｐ１５：電線管
Ｓ０　，Ｓ１０，Ｓ２０，Ｓ０’，　Ｓ０　”：継手
Ｖ１　〜Ｖ５　，Ｖ１１〜Ｖ１５：ロックボルト（継手用連結体）
３：開口
１１，１１’：継手本体
【図１】
2004129368.tif 000003
【図２】
2004129368.tif 000004
【図３】
2004129368.tif 000005
【図４】
2004129368.tif 000006
【図５】
2004129368.tif 000007
【図６】
2004129368.tif 000008
【図７】
2004129368.tif 000009
【図８】
2004129368.tif 000010
【図９】
2004129368.tif 000011
【図１０】
2004129368.tif 000012